【手続補正書】
【提出日】平成19年10月26日(2007.10.26)
【手続補正１】
【補正対象書類名】特許請求の範囲
【補正対象項目名】全文
【補正方法】変更
【補正の内容】
【特許請求の範囲】
【請求項１】
(a)圧力センサを含む圧力支援装置を準備する過程と、
(b)圧力支援装置内で患者の気道圧力を示す圧力を監視して、圧力を示す圧力信号を出力する過程と、
(c)圧力信号を濾波して、特定の周波数領域内の周波数を含む濾波圧力信号を得る過程と、
(d)閾値を発生する過程と、
(e)濾波圧力信号を閾値と比較する過程と、
(f)閾値と交差する濾波圧力信号に応答して、患者の呼吸周期中に生じる単一の鼾事象を定める複数の振動から第１の振動を検出する過程と、
(g)第１の振動に対する基準期間を決定する過程と、
(h)濾波圧力信号の継続する第２の振動が閾値を超えるとき単一の鼾事象を定める複数の振動から第２の振動を検出する過程と、
(i)継続する第２の振動の第２の期間を決定する過程と、
(j)第２の期間を基準期間と比較して、第２の期間を基準期間とが整合するかを決定する過程と、
(k)基準期間と整合する第２の期間に応答して鼾と判断する過程とを含むことを特徴とする患者の鼾検出法。
【請求項２】
(l)濾波デジタル信号が閾値を超えるとき、第２の振動に続く第３の振動を検出する過程と、
(m)第３の振動に対する第３の期間を決定する過程と、
(n)第３の振動を基準期間と比較して、第３の振動と基準期間とが整合するかを決定する過程と、
(o)閾値を超える濾波デジタル信号に応答して第４の振動を検出する過程と、
(p)第４の振動に対する第４の期間を決定する過程と、
(q)第４の期間を基準期間と比較して、第４の期間が基準期間と整合するかを決定し、基準期間と整合する第２、第３及び第４の振動の期間に対応して、過程(k)で鼾と判断する過程とを含む請求項１に記載の鼾検出法。
【請求項３】
(r)閾値を超える第１の振動に対する基準周波数を決定する過程と、
(s)複数の継続する振動に対応する複数の継続する周波数と基準周波数とを比較する過程と、
(t)継続する周波数がそれぞれ基準周波数と整合する場合に鼾と判断する過程とを含む請求項２に記載の鼾検出法。
【請求項４】
(l)閾値を超える第１の振動に対する基準周波数を決定する過程と、
(m)複数の継続する振動に対応する複数の継続する周波数と基準周波数とを比較する過程と、
(n)継続する周波数がそれぞれ基準周波数と整合する場合に鼾と判断する過程とを含む請求項１に記載の鼾検出法。
【請求項５】
閾値を発生する過程は、
(1)圧力信号を演算処理して、圧力信号の平均最大値の近似値を準備する過程と、
(2)偏差値を平均最大値の近似値に加算して、閾値を発生する過程とを含む請求項１に記載の鼾検出法。
【請求項６】
圧力信号を演算処理して、圧力信号の平均最大値の近似値を準備する過程は、
(i)現処理周期間の圧力信号Y[n]より大きい直前処理周期の平均最大値の近似値C[n-1]に応答して、現処理周期n間に平均最大値の現近似値C[n]を下式：
C[n] = C[n-1] + W(Y[n] - C[n-1]）
により算出する過程と、
(ii)現処理周期間の圧力信号Y[n]より大きくない直前処理周期の平均最大値の近似値C[n-1]に応答して、現処理周期間の平均最大値の現近似値C[n]を下式：
C[n] = C[n-1] - C[n-1]W/K3
により算出する過程とを含み、WはＲＣ回路の充電定数であり、K3はＲＣ回路の放電速度に対する充電速度の比である請求項５に記載の鼾検出法。
【請求項７】
偏差値を平均最大値の近似値に加算して、現処理周期間の閾値T[n]を発生する過程は、
平均最大値の現近似値C[n]を下式： 
T[n] = K1C[n] + Ky
により演算処理する過程を含み、K1及びKyは定数である請求項６に記載の鼾検出法。
【請求項８】
Ky値は、圧力信号に基いて選択される請求項７に記載の鼾検出法。
【請求項９】
鼾と判断するか否かに基づいて、圧力支援装置により供給される圧力を調整する過程を含む請求項１に記載の鼾検出法。
【請求項１０】
(a)患者の気道圧力を示す圧力信号を発生させる過程と、
(b)圧力信号を演算処理して、圧力信号の平均最大値の近似値を準備する過程と、
(c)偏差値を平均最大値の近似値に加算して閾値を発生する過程と、
(d)閾値及び測定されるパラメータを使用して患者が鼾を体験しているか否かを決定する過程とを含み、
圧力信号を演算処理して圧力信号の平均最大値の近似値を準備する過程は、
(1)現処理周期間の圧力信号Y[n]より大きい直前処理周期の平均最大値の近似値C[n-1]に応答して、現処理周期n間の平均最大値の現近似値C[n]を下式： 
C[n] = C[n-1] + W(Y[n] - C[n-1])
により算出する過程と、
(2)現処理周期間の圧力信号Y[n]より大きくない直前処理周期の平均最大値の近似値C[n-1]に応答して、現処理周期間の平均最大値の現近似値C[n]を下式：
C[n] = C[n-1] - C[n-1]W/K3
により算出する過程とを含み、WはＲＣ回路の充電定数であり、K3はＲＣ回路の放電速度に対する充電速度の比であることを特徴とする鼾検出器の可変閾値を使用する鼾監視法。
【請求項１１】
偏差値を平均最大値の近似値に加算して、現処理周期間の閾値T[n]を発生する過程は、
平均最大値の現近似値C[n]を下式： 
T[n] = K1C[n] + Ky
により演算処理する過程を含み、K1及びKyは定数である請求項１０に記載の鼾監視法。
【請求項１２】
Ky値は、圧力信号に基いて選択される請求項１１に記載の鼾監視法。
【請求項１３】
(a)患者の気道圧力を示す圧力を検出して、圧力を示す圧力信号を出力する圧力センサと、
(b)圧力信号を濾波して、特定の周波数領域内の周波数を含む濾波圧力信号を得る手段と、
(c)閾値を準備する手段と、
(d)濾波圧力信号を閾値と比較する手段と、
(e)閾値を超える濾波デジタル信号に応答して、患者の呼吸周期中に生じる単一の鼾事象を定める複数の振動から第１の振動を検出する手段と、
(f)第１の振動に対する基準期間を決定する手段と、
(g)閾値を超える濾波圧力信号の第２の振動に応答して、単一の鼾事象を定める複数の振動から第２の振動を検出する手段と、
(h)第２の振動に対する第２の期間を決定する手段と、
(i)第２の期間を基準期間と比較して、第２の期間と基準期間とが整合するかを決定する手段と、
(j)基準期間と整合する第２の期間に応答して鼾と判断する手段とを含むことを特徴とする鼾検出器。
【請求項１４】
(k)閾値を超える濾波デジタル信号に応答して、第３の振動を検出する手段と、
(l)第３の振動に対する第３の振動を決定する手段と、
(m)第３の振動を基準期間と比較して、第３の振動と基準期間とが整合するかを決定する手段と、
(n)閾値を超える濾波デジタル信号に応答して第４の振動を検出する手段と、
(o)第４の振動に対する第４の期間を決定する手段と、
(p)第４の期間を基準期間と比較して、第４の期間と基準期間とが整合するかを決定し、基準期間と整合する第２、第３及び第４の振動の期間に対応して鼾と判断する手段とを含む請求項１３に記載の鼾検出器。
【請求項１５】
(q)閾値を超える第１の振動に対する基準周波数を決定する手段と、
(r)複数の継続する振動に対応する複数の継続する周波数と基準周波数とを比較する手段と、
(s)継続する周波数がそれぞれ基準周波数と整合する場合に鼾と判断する手段とを含む請求項１４に記載の鼾検出器。
【請求項１６】
(k)閾値を超える第１の振動に対する基準周波数を決定する手段と、
(l)複数の継続する振動に対応する複数の継続する周波数と基準周波数とを比較する手段と、
(m)継続する周波数がそれぞれ基準周波数と整合する場合に鼾と判断する手段とを含む請求項１３に記載の鼾検出器。
【請求項１７】
閾値を準備する手段は、
(1)圧力信号を演算処理して、圧力信号の平均最大値の近似値を準備する手段と、
(2)偏差値を平均最大値の近似値に加算して、閾値を発生する手段とを含む請求項１３に記載の鼾検出器。
【請求項１８】
圧力信号を演算処理して、圧力信号の平均最大値の近似値を準備する手段は、
(i)現処理周期間の圧力信号Y[n]より大きい直前処理周期の平均最大値の近似値C[n-1]に応答して、現処理周期n間の平均最大値の現近似値C[n]を下式：
C[n] = C[n-1] + W(Y[n] - C[n-1])
により算出する過程と、
(ii)現処理周期間の圧力信号Y[n]より大きくない直前処理周期の平均最大値の近似値C[n-1]に応答して、現処理周期間の平均最大値の現近似値C[n]を下式：
C[n] = C[n-1] - C[n-1]W/K3
により算出する過程とを含み、
WはＲＣ回路の充電定数であり、K3はＲＣ回路の放電速度に対する充電速度の比である請求項１７に記載の鼾検出器。
【請求項１９】
偏差値を平均最大値の近似値に加算して、現処理周期間の閾値T[n]を発生する手段は、平均最大値C[n]の現近似値を演算処理して下式：
T[n] = K1C[n] + Ky
により偏差値を加算し、K1及びKyは定数である請求項１８に記載の鼾検出器。
【請求項２０】
Ky値は、圧力信号に基づいて選択される請求項１９に記載の鼾検出器。
【請求項２１】
鼾と判断するか否かに基づいて、圧力支援装置により供給される圧力を調整する手段を含む請求項１３に記載の鼾検出器。
【請求項２２】
(a)患者の気道圧力を示しかつ検定範囲内の周波数を含む圧力信号を発生させる圧力センサと、
(b)圧力信号を演算処理して、圧力信号の平均最大値の近似値を準備する手段と、
(c)偏差値を平均最大値の近似値に加算して閾値を発生する手段とを含み、
圧力信号を演算処理して、圧力信号の平均最大値の近似値を準備する手段は、
(1)現処理周期間の圧力信号Y[n]より大きい直前処理周期の平均最大値の近似値C[n-1]に応答して、現処理周期n間の平均最大値の現近似値C[n]を下式：
C[n] = C[n-1] + W(Y[n] - C[n-1])
により算出し、
(2)現処理周期間の圧力信号Y[n]より大きくない直前処理周期の平均最大値の近似値C[n-1]に応答して、現処理周期間の平均最大値の現近似値C[n]を下式：
C[n] = C[n-1] - C[n-1]W/K3
により算出し、WはＲＣ回路の充電定数であり、K3はＲＣ回路の放電速度に対する充電速度の比であることを特徴とする鼾検出器の閾値を決定する閾値設定装置。
【請求項２３】
偏差値を平均最大値の近似値に加算して、現処理周期間の閾値T[n]を発生する手段は、平均最大値の現近似値C[n]を下式： 
T[n] = K1C[n] + Ky
により演算処理して偏差値を加算し、K1及びKyは定数である請求項２２に記載の閾値設定装置。
【請求項２４】
Ky値は、圧力信号に基づいて選択される請求項２３に記載の閾値設定装置。
【手続補正２】
【補正対象書類名】図面
【補正対象項目名】図１
【補正方法】変更
【補正の内容】
【図１】
2005505329.tif 000001